(57)【特許請求の範囲】
【請求項１】
建物の建物構造材に支持部材が屋外方向に突出して取り付けられ、この支持部材に庇の庇構造材が取り付けられた庇の取付構造であって、前記支持部材は建物構造材に取り付けられる建物取付部と、庇構造材を取り付ける庇取付部とからなり、この庇取付部は、ほぼ垂直な本体と、この本体の下端に一体に設けられたほぼ水平な水平片とからなり、支持部材の建物取付部が建物構造材に取り付けられ、庇取付部の水平片の上に庇構造材の一部を載せた状態にして、庇の庇構造材が支持部材の本体に取り付けられることにより庇が垂れ下がらないことを特徴とする庇の取付構造。
【請求項２】
ユニット建物の屋根に設けられている屋根梁に支持部材が屋外方向に突出して取り付けられ、この支持部材に庇の庇構造材が取り付けられた庇の取付構造であって、前記屋根は、軒先にほぼ平行な屋根横梁と、この屋根横梁の端部にほぼ直角に設けられた屋根縦梁とからなる屋根梁を具備する屋根ユニットが複数組み立てられたものであり、前記庇は軒先にほぼ平行で屋根横梁のほぼ整数倍の庇横梁と、この庇横梁の端部にほぼ直角に設けられた庇縦梁とからなる庇構造材を具備する庇ユニットが複数個組み立てられたものであり、前記支持部材は、屋根梁に取り付けられるほぼ垂直な建物取付部と、庇構造材を取り付ける庇取付部とからなり、庇取付部は建物取付部が延長されたほぼ垂直な本体と、この本体の下端に一体に設けられたほぼ水平な水平片とからなり、支持部材の建物取付部が屋根ユニットの屋根縦梁に取り付けられ、庇取付部の水平片の上に庇ユニットの庇縦材の一部を載せた状態にして、庇ユニットの庇縦梁が支持部材の本体に取り付けられることにより庇が垂れ下がらないことを特徴とする庇の取付構造。
【請求項３】
ユニット建物の建物本体に設けられている梁に支持部材が屋外方向に突出して取り付けられ、この支持部材に庇の庇構造材が取り付けられた庇の取付構造であって、前記建物本体は、軒先に平行な横梁と、この横梁の端部にほぼ直角に設けられた縦梁とからなる梁を具備する建物ユニットが複数組み立てられたものであり、前記庇は軒先にほぼ平行で横梁のほぼ整数倍の庇横梁と、この横梁の端部にほぼ直角に設けられた庇縦梁とからなる庇構造材を具備する庇ユニットが複数個組み立てられたものであり、前記支持部材は、梁に取り付けられるほぼ垂直な建物取付部と庇構造材を取り付ける庇取付部とからなり、庇取付部は建物取付部が延長されたほぼ垂直な本体と、この本体の下端に一体に設けられたほぼ水平な水平片とからなり、支持部材の建物取付部が建物ユニットの縦梁に取り付けられ、庇取付部の水平片の上に庇ユニットの庇縦梁の一部を載せた状態にして、庇ユニットの庇縦梁が支持部材の本体に取り付けられることにより庇が垂れ下がらないことを特徴とする庇の取付構造。
【発明の詳細な説明】
【０００１】
【発明の属する技術分野】
本発明は庇の取付構造に関する。
【０００２】
【従来の技術】
従来、庇等の小屋根を建物の軒先に取り付ける構造としては、特公平３−８０２２７号公報に記載ある構造が知られている。
この取付構造を図８および図９を参照しながら説明する。
図８はユニット建物を構成する建物ユニットの天井梁に庇の構造材を取り付けている状態を示す説明図、図９は庇を取り付けた状態を示す取付部分の縦断面図である。
【０００３】
この庇１００の取付構造は、ユニット建物２００を構成する建物ユニット２０１の天井梁２０２にほぼ垂直な支持部材３００を屋外方向に突出させて取り付け、この支持部材３００に庇１００の庇構造材１０１を取り付けて支持させたものである。
尚、この支持部材３００の屋外側に突出している庇取付部の下端にはゴム製の目地材４００が取り付けられていて、支持部材３００に庇１００の構造材１０１を並べて取り付けると、この庇１００の間を目地材４００が塞ぐようになっているのである。
【０００４】
【発明が解決しようとする課題】
しかし、上記庇の取付構造にするために、庇１００を支持部材３００に取り付けようとしても、庇１００の自重により先端が垂れて良好に取り付けることができないし、又、庇を１００を取り付け、長年月使用している間に、庇１００の自重により、次第に、先端が垂れるという恐れがあった。
そこで、従来は、取付施工時には、図１０〜図１２に示すように２個の仮支持用金具５００と１個の持出庇取付金具６００を使用して取り付け、庇１００を固定後は仮支持用金具５００と持出庇取付金具６００を取り外していた。
【０００５】
即ち、図１０に示すように、予め、断面Ｌ字形の長尺体からなる持出庇取付金具６００を屋内方向に突出させて庇１００の構造材１０１に取り付け、又、Ｌ字形の小片からなる仮支持用金具５００をＬ字形の突出片を下方に向けて庇１００の屋内側構造材１０１に取り付ける。又、図１１に示すように、ユニット建物２００を構成する建物ユニット２０１の天井梁２０２にほぼ垂直な支持部材３００を屋外方向に突出して取り付ける。その後、図１２に示すように、庇１００を軒先に沿わせ、持出庇取付金具６００と仮支持用金具５００を天井梁２０２に取り付ける。
【０００６】
このように持出庇取付具６００と仮支持用金具５００で庇１００を垂れ下がらないようにした後、支持部材３００に庇１００の構造材１０１を取り付ける。その後、仮支持用金具５００は持出庇取付金具６００を取り外すことにより、取付施工時の自重による垂れ下がりを防止していた。
しかし、このように、持出庇取付金具６００や仮支持用金具５００を使用することは極めて不便であるし、庇１００を取り付けた後、仮支持用金具５００と持出庇取付金具６００を取り外す必要がある。
【０００７】
そこで、本発明の目的は、庇の垂れ下がりを防ぐ持出庇取付金具や仮支持用金具を必要としない庇の取付構造を提供することである。
【０００８】
【課題を解決するための手段】
本発明は上記の目的を達成するためになされたものであって、請求項１記載の発明は、建物の建物構造材に支持部材が屋外方向に突出して取り付けられ、この支持部材に庇の庇構造材が取り付けられた庇の取付構造であって、前記支持部材は建物構造材に取り付けられる建物取付部と、庇構造材を取り付ける庇取付部とからなり、この庇取付部は、ほぼ垂直な本体と、この本体の下端に一体に設けられたほぼ水平な水平片とからなり、支持部材の建物取付部が建物構造材に取り付けられ、庇取付部の水平片の上に庇構造材の一部を載せた状態にして、庇の庇構造材が支持部材の本体に取り付けられることにより庇が垂れ下がらないものである。
【０００９】
請求項２記載の発明は、ユニット建物の屋根に設けられている屋根梁に支持部材が屋外方向に突出して取り付けられ、この支持部材に庇の庇構造材が取り付けられた庇の取付構造であって、前記屋根は、軒先にほぼ平行な屋根横梁と、この屋根横梁の端部にほぼ直角に設けられた屋根縦梁とからなる屋根梁を具備する屋根ユニットが複数組み立てられたものであり、前記庇は軒先にほぼ平行で屋根横梁のほぼ整数倍の庇横梁と、この庇横梁の端部にほぼ直角に設けられた庇縦梁とからなる庇構造材を具備する庇ユニットが複数個組み立てられたものであり、前記支持部材は、屋根梁に取り付けられるほぼ垂直な建物取付部と、庇構造材を取り付ける庇取付部とからなり、庇取付部は建物取付部が延長されたほぼ垂直な本体と、この本体の下端に一体に設けられたほぼ水平な水平片とからなり、支持部材の建物取付部が屋根ユニットの屋根縦梁に取り付けられ、庇取付部の水平片の上に庇ユニットの庇縦材の一部を載せた状態にして、庇ユニットの庇縦梁が支持部材の本体に取り付けられることにより庇が垂れ下がらないものである。
【００１０】
請求項３記載の発明は、ユニット建物の建物本体に設けられている梁に支持部材が屋外方向に突出して取り付けられ、この支持部材に庇の庇構造材が取り付けられた庇の取付構造であって、前記建物本体は、軒先に平行な横梁と、この横梁の端部にほぼ直角に設けられた縦梁とからなる梁を具備する建物ユニットが複数組み立てられたものであり、前記庇は軒先にほぼ平行で横梁のほぼ整数倍の庇横梁と、この横梁の端部にほぼ直角に設けられた庇縦梁とからなる庇構造材を具備する庇ユニットが複数個組み立てられたものであり、前記支持部材は、梁に取り付けられるほぼ垂直な建物取付部と庇構造材を取り付ける庇取付部とからなり、庇取付部は建物取付部が延長されたほぼ垂直な本体と、この本体の下端に一体に設けられたほぼ水平な水平片とからなり、支持部材の建物取付部が建物ユニットの縦梁に取り付けられ、庇取付部の水平片の上に庇ユニットの庇縦梁の一部を載せた状態にして、庇ユニットの庇縦梁が支持部材の本体に取り付けられることにより庇が垂れ下がらないものである。
【００１１】
請求項１記載の発明における建物は従来の木造建物や鉄骨建物でもよいし、又、建物ユニットを組み立てたユニット建物でもよい。
請求項１記載の発明に使用する建物構造材は建物本体に設けられた天井梁や床梁等の梁であってもよいし、屋根に設けられている屋根梁でもよい。
請求項１〜請求項３記載の発明における支持部材の庇取付部はほぼ垂直な本体と、この本体の下端に設けられたほぼ水平な水平片とからなるが、この支持部材の庇取付部の水平片の下面に軒天井材を取り付けていると、支持部材の建物取付部を建物構造材、屋根梁、梁等に取り付けたときに、軒天井材を同時に取り付けることができるので便利である。
【００１２】
（作用）
請求項１記載の発明では、支持部材の建物取付部が建物構造材に取り付けられ、庇取付部の水平片の上に庇構造材の一部を載せた状態に、庇が支持部材に取り付けられているから、庇の荷重の一部が庇取付部の水平片にかかり、この庇取付部から支持部材を経て建物構造材に伝達される。従って、従来のように、持出庇取付金具がなくとも、長年月使用している間に庇が垂れ下がらない。
【００１３】
又、このような構造にするには、支持部材の建物取付部を建物構造材に取り付け、庇の構造材の一部を庇取付部のほぼ水平な水平片の上の載せながら、庇の構造材を支持部材に取り付ければよく、従来のように、仮支持用金具を使用しなくとも、庇構造材が垂れ下がることなく容易に取り付けることができる。
【００１４】
請求項２記載の発明では、支持部材の建物取付部が屋根ユニットの屋根縦梁に取り付けられ、庇取付部の水平片の上に庇ユニットの庇縦材の一部を載せた状態にして、庇ユニットの庇縦材が支持部材の本体に取り付けられているから、庇の荷重の一部が庇取付部の水平片にかかり、この庇取付部から屋根梁に伝達される。従って、従来のように、持出庇取付金具がなくとも、長年月使用している間に庇が垂れ下がらない。
【００１５】
又、このような構造にするには、支持部材の建物取付部を屋根ユニットの屋根縦梁に取り付け、庇縦梁の一部を支持部材の庇取付部の水平片の上に載せながら、庇縦梁を支持部材に取り付ければよく、従来のように、仮支持用金具を使用しなくとも、庇構造材が垂れ下がることなく容易に取り付けることができる。
【００１６】
又、支持部材は、ほぼ垂直な建物取付部と庇取付部とからなり、庇取付部は建物取付部が延長されたほぼ垂直な本体と、この本体の下端に設けられたほぼ水平な水平片とからなるから、支持部材のほぼ垂直な建物取付部を屋根ユニットの屋根縦梁に取り付けるだけで、この建物取付部が延長されたほぼ垂直な本体が屋根ユニットから屋外方向に突出し、水平片が本体の下端に水平に取り付けられる。
【００１７】
又、庇横梁は屋根横梁のほぼ整数倍であるから、屋根横梁の端部にほぼ直角に設けられた屋根縦梁に、支持部材の建物取付部を取り付け、この支持部材の庇取付部の本体に庇横梁の端部に設けられている庇縦梁を取り付けると、庇横梁の他端は必ず屋根横梁の別の端部に位置する。従って、この屋根横梁の別の端部にほぼ直角に設けられている屋根縦梁に別の支持部材の建物取付部を取り付けると、この支持部材の庇取付部の本体は庇横梁の端部に設けられている庇縦梁に沿うので、この庇縦梁を支持部材の庇取付部の本体に容易に取り付けることができる。
【００１８】
請求項３記載の発明では、支持部材の建物取付部が建物ユニットの縦梁に取り付けられ、庇取付部の水平片の上に庇ユニットの庇縦梁の一部を載せた状態にして、庇ユニットの庇縦梁が支持部材の本体に取り付けられているから、庇の荷重の一部が庇取付部の水平片にかかり、この庇取付部から梁に伝達される。従って、従来のように、持出庇取付金具がなくとも、長年月使用している間に庇が垂れ下がらない。
【００１９】
又、このような構造にするには、支持部材の建物取付部を建物ユニットの縦梁に取り付け、庇縦梁の一部を支持部材の庇取付部の水平片の上に載せながら、庇縦梁を支持部材に取り付ければよく、従来のように、仮支持用金具を使用しなくとも、庇構造材が垂れ下がることなく容易に取り付けることができる。
【００２０】
又、支持部材は、ほぼ垂直な建物取付部と庇取付部とからなり、庇取付部は建物取付部が延長されたほぼ垂直な本体と、この本体の下端に設けられたほぼ水平な水平片とからなるから、支持部材のほぼ垂直な建物取付部を建物ユニットの縦梁に取り付けるだけで、この建物取付部が延長されたほぼ垂直な本体が建物ユニットから屋外方向に突出し、水平片が本体の下端に水平に取り付けられる。
【００２１】
又、庇横梁は横梁のほぼ整数倍であるから、横梁の端部にほぼ直角に設けられた縦梁に支持部材の建物取付部を取り付け、この支持部材の庇取付部の本体に庇横梁の端部に設けられている庇縦梁を取り付けると、庇横梁の他端は必ず横梁の別の端部に位置する。従って、この横梁の別の端部にほぼ直角に設けられている縦梁に別の支持部材の建物取付部を取り付けると、この支持部材の庇取付部の本体は庇横梁の端部に設けられている庇縦梁に沿うので、この庇縦梁を支持部材の庇取付部の本体に容易に取り付けることができる。
【００２２】
【発明の実施の形態】
以下、本発明の実施例について説明する。
（実施例１）
図１〜図４は本発明の庇の取付構造をユニット建物の屋根梁と屋根梁との間に支持材を取り付け、この支持材に庇を取り付ける庇の取付構造に適用した一実施例を示すもので、図１（イ）は庇の取付構造の平面図、（ロ）は（イ）のＡ−Ａ線における断面図、図２はユニット建物の断面の一部を示す説明図、図３は支持部材の斜視図、図４（イ）は建物ユニットに支持部材を取り付けている状態を示す説明図、（ロ）は支持部材に庇を取り付けている状態を示す説明図である。
【００２３】
図１〜図４において、１はユニット建物であり、このユニット建物１は、図２に示すように、建物ユニット２を複数個組み立てた建物本体９と、この建物ユニット２の上に取り付けられている屋根ユニット３やベランダ４等とからなる。
屋根ユニット３は屋根梁３１や屋根取付具を組み立てたものであり、この屋根ユニット３を建物ユニット２の上に複数個取り付け、屋根取付具の上に折版屋根８を取り付けたり、屋根梁３１の横に庇５を取り付けたり、軒先化粧材８１を取り付けると屋根となるものである。
【００２４】
屋根ユニット３は軒先にほぼ平行な屋根横梁３２と、この屋根横梁３２の端部にほぼ直角に設けられた屋根縦梁３３とからなる屋根梁３１を具備する。
庇５は庇ユニット６が複数個組み立てられたものである。庇ユニット６は軒先にほぼ平行で屋根横梁３２とほぼ同じ長さの庇横梁６２と、この庇横梁６２の端部にほぼ直角に設けられた庇縦梁６３とからなる庇構造材６１を具備する。
６４はほぼ平行なフランジがウェッブで連結されたＺ形の取付片であり、この取付片６４の一方のフランジを庇横梁６２に取り付け、他方のフランジを屋根横梁３２に取り付けることにより屋根横梁３２に庇横梁６２を取り付けるものである。
【００２５】
７は支持部材であり、この支持部材７は、図３に示すように、ほぼ垂直な建物取付部７１と庇取付部７２とからなる。
庇取付部７２は建物取付部７１が延長されたほぼ垂直な本体７３と、この本体７３の下端に設けられたほぼ水平な水平片７４とからなる。この水平片７４は本体７３の両側に突出している。本体７３には通孔７９が設けられている。
【００２６】
この建物取付部７１と庇取付部７２の境界には取付片７５がほぼ直角に突出して設けられているし、又、建物取付部７１の先端部には補強板７６が取り付けられていて、取付片７５には通孔７７が設けられ、補強板７６には、補強板７６から建物取付部７１に貫通した通孔７８が設けられている。
【００２７】
この支持部材７は、建物取付部７１を屋根ユニット３の屋根縦梁３３に沿わせ、ボルト３５を取付片７５の通孔７７から屋根縦梁３３の端面の雌ネジ板３６に、又、補強板７６の通孔７８から屋根縦梁３３の側面の通孔に貫通したボルト３７とナット３８で、屋根ユニット３に取り付けられている。又、庇取付部７２の水平片７４の上に庇ユニット６の庇縦梁６３の一部を載せた状態にして、支持部材７の本体７３の両側に庇縦梁６３を沿わせ、一方の庇ユニット６の庇縦梁６３の通孔から本体７３の通孔７９、他方の庇縦梁６３の通孔に貫通したボルト６７とナット６８で、庇ユニット６が支持部材７に取り付けられている。
【００２８】
このようになっているから、庇５の荷重の一部が庇取付部７２の水平片７４にかかり、この庇取付部７２から庇構造材６１に伝達される。従って、従来のように、持出庇取付金具がなくとも、長年月使用している間に庇５が垂れ下がらない。
９５は庇取付部７２の水平片７４の下側に取り付けられた軒天井であり、９６は庇５の下側に設けられている軒天井である。
【００２９】
次に、この庇取付構造にする施工方法について説明する。
図４（イ）に示すように、予め、水平片７４の下側に軒天井９５を取り付けた支持部材７を吊り上げて、屋根ユニット３の屋根縦梁３３と、この屋根ユニット３に隣接する屋根ユニット３の屋根縦梁３３の間に、支持部材７の建物取付部７１を挿入し、この支持部材７の建物取付部７１を屋根ユニット３の屋根縦梁３３に沿わせる。その後、ボルト３５を取付片７５の通孔７７から屋根縦梁３３の端面の雌ネジ板３６に螺入する。又、一方の屋根ユニット３の屋根縦梁３３の側面の通孔から補強板７６の通孔７８、他方の屋根縦梁３３の側面の通孔にボルト３７を貫通させ、このボルト３７の先端からナット３８を螺入する。このようにして、支持部材７を屋根ユニット３に取り付ける。
【００３０】
このように、支持部材７のほぼ垂直な建物取付部７１を屋根ユニット３の屋根縦梁３３に取り付けると、この建物取付部７１が延長された本体７３が屋根ユニット３から屋外方向に突出し、水平片７４が本体７３の下端に水平に取り付けられる。
【００３１】
次に、図４（ロ）に示すように、予め、軒天井９６を取り付けた庇ユニット６を吊り上げ、庇取付部７２の水平片７４の上に庇ユニット６の庇縦梁６３の一部を載せ、庇ユニット６の庇縦梁６３との間にスペーサー９８を挿入しながら、支持部材７の本体７３の両側に庇ユニット６を当接させ、一方の庇ユニット６の庇縦梁６３に設けられた通孔から庇取付部７２の本体７３に設けられた通孔７９、他方の庇ユニット６の庇縦梁６３にボルト６７を貫通させ、このボルト６７の先端からナット６８を螺入して庇ユニット６を支持部材７に取り付ける。
【００３２】
更に、庇ユニット６の庇横梁６２に取り付けられた取付片６４を屋根ユニット３の屋根横梁３２にボルト６５とナット６６で固定して取り付ける。
このように、支持部材７の建物取付部７１を屋根ユニット３の屋根縦梁３３に取り付け、庇縦梁６３の一部を支持部材７の庇取付部７２の水平片７４の上に載せながら、庇縦材６３を支持部材７に取り付けるので、従来のように、仮支持用金具を使用しなくとも、庇構造材６１が垂れ下がることなく取り付けることができる。
【００３３】
このようにして、複数の庇ユニット６を順次取り付ける。
この際、庇横梁６２は屋根横梁３２とほぼ同じ長さであるから、屋根横梁３２の端部にほぼ直角に設けられた屋根縦梁３３に、支持部材７の建物取付部７１を取り付け、この支持部材７の庇取付部７２の本体７３に庇横梁６２の端部に設けられている庇縦梁６３を取り付けると、庇横梁６２の他端は必ず屋根横梁３２の別の端部に位置する。従って、この屋根横梁３２の別の端部にほぼ直角に設けられている屋根縦梁３３に別の支持部材７の建物取付部７１を取り付けると、この支持部材７の庇取付部７２の本体７３は庇横梁６２の端部に設けられている庇縦梁６３に沿うので、この庇縦梁６３を支持部材７の庇取付部７２の本体７３に容易に取り付けることができる。
このように複数の庇ユニット６を取り付けると、庇５が完成する。
【００３４】
（実施例２）
図５〜図７は本発明の庇の取付構造をユニット建物の端の屋根梁に支持部材を取り付け、この支持部材に庇を取り付ける庇の取付構造に適用した他の実施例を示すもので、図５（イ）は庇の取付構造の平面図、（ロ）は（イ）のＢ−Ｂ線における断面図、図６は支持部材の斜視図、図７（イ）は建物ユニットに支持部材を取り付けている状態を示す説明図、（ロ）は支持部材に庇を取り付けている状態を示す説明図である。
【００３５】
この実施例２を図１〜図４に示す実施例１と比較すると、ユニット建物１ａの端の屋根縦梁３３ａに支持部材７ａを取り付け、この支持部材７ａに庇ユニット６ａを取り付けること、および、支持部材７ａの形状が異なる。
その他は実施例１と同じ構造であるので、この異なる構造について説明し、その他は省略する。
尚、この実施例２に使用する部材を説明するときには、実施例１とほぼ同じ部材番号にａを付して説明する。
【００３６】
この実施例２では、ユニット建物の端であるから、庇ユニット６ａの延長方向には庇ユニット６ａがない。
又、支持部材７ａは、図６に示すように、ほぼ垂直な建物取付部７１ａと庇取付部７２ａとからなり、庇取付部７２ａは建物取付部７１ａが延長されたほぼ垂直な本体７３ａと、この本体７３ａの下端に設けられたほぼ水平な水平片７４ａとからなることは実施例と同じであるが、この水平片７４ａは本体７３ａの片側に突出していることが異なる。
【００３７】
次に、この実施例２の施工方法について説明する。
図７（イ）に示すように、予め、水平片７４ａの下側に軒天井９５ａを取り付けた支持部材７ａを吊り上げて、屋根ユニット３ａの屋根縦梁３３ａに沿わる。その後、ボルト３５ａを取付片７５ａの通孔７７ａから屋根縦梁３３ａの端面の雌ネジ板ナット３６ａに螺入する。又、補強板７６ａの通孔７８ａから屋根縦梁３３ａの側面の通孔にボルト３７ａを貫通させ、このボルト３７ａの先端からナット３８ａを螺入する。このようにして、支持部材７ａを屋根ユニット３ａに取り付ける。
【００３８】
このように、支持部材７ａのほぼ垂直な建物取付部７１ａを屋根ユニット３ａの屋根縦梁３３ａに取り付けると、この建物取付部７１ａが延長された本体７３ａが屋根ユニット３ａから屋外方向に突出し、水平片７４ａが本体７３ａの下端に水平に取り付けられる。
【００３９】
次に、図７（ロ）に示すように、予め軒天井９６ａが取り付けられた庇ユニット６ａを吊り上げ、庇取付部７２ａの水平片７４ａの上に庇ユニット６ａの庇縦梁６３の一部を載せ、庇ユニット６ａの庇縦梁６３ａとの間にスペーサー９５を挿入しながら、支持部材７ａの本体７３ａの側面に庇ユニット６ａを当接させ、庇ユニット６ａの庇縦梁６３ａに設けられた通孔から庇取付部７２ａの本体７３ａに設けられた通孔７９ａにボルト６７ａを貫通させ、このボルト６７ａの先端からナット６８ａを螺入して庇ユニット６ａを支持部材７ａに取り付ける。
【００４０】
更に、庇ユニット６ａの庇横梁６２ａに取り付けられた取付片６４ａを屋根ユニット３ａの屋根横梁３２ａにボルト６５ａとナット６６ａで固定して取り付ける。
このように、支持部材７ａの建物取付部７１ａを屋根ユニット３ａの屋根縦梁３３ａに取り付け、庇縦梁６３ａの一部を支持部材７ａの庇取付部７２ａの水平片７４ａの上に載せながら、庇縦材６３ａを支持部材７ａに取り付けるので、従来のように、仮支持用金具を使用しなくとも、庇構造材６１ａが垂れることなく取り付けることができる。
【００４１】
【発明の効果】
請求項１記載の発明では、支持部材の建物取付部が建物構造材に取り付けられ、庇取付部の水平片の上に庇構造材の一部を載せた状態に、庇が支持部材に取り付けられているから、従来のように、持出庇取付金具がなくとも、長年月使用している間に庇が垂れ下がらなく安心である。
又、このような構造にするには、支持部材の建物取付部を建物構造材に取り付け、庇の構造材の一部を庇取付部のほぼ水平な水平片の上の載せながら、庇の構造材を支持部材に取り付ければよく、従来のように、仮支持用金具を使用しなくとも、庇構造材が垂れ下がることなく取り付けることができ便利である。
【００４２】
請求項２記載の発明では、支持部材の建物取付部が屋根ユニットの屋根縦梁に取り付けられ、庇取付部の水平片の上に庇ユニットの庇縦材の一部を載せた状態にして、庇ユニットの庇縦材が支持部材の本体に取り付けられているから、従来のように、持出庇取付金具がなくとも、長年月使用している間に庇が垂れ下がらなく安心である。
又、このような構造にするには、支持部材の建物取付部を屋根ユニットの屋根縦梁に取り付け、庇縦材の一部を支持部材の庇取付部の水平片の上に載せながら、庇の縦材を支持部材に取り付ければよく、従来のように、仮支持用金具を使用しなくとも、庇の構造材が垂れ下がることなく取り付けることができ便利である。
【００４３】
又、支持部材は、ほぼ垂直な建物取付部と庇取付部とからなり、庇取付部は建物取付部が延長されたほぼ垂直な本体と、この本体の下端に設けられたほぼ水平な水平片とからなるから、庇取付部の建物取付部を屋根ユニットの屋根縦梁に取り付けるだけで、本体が屋根ユニットから屋外方向に突出し、水平片が本体の下端に水平に取り付けられ便利である。
又、庇横梁は屋根横梁のほぼ整数倍であるから、屋根横梁の端部にほぼ直角に設けられた屋根縦梁に支持部材を取り付け、この支持部材に庇横梁の端部に設けられている庇縦梁を取り付けると、庇横梁の他端は必ず屋根横梁の別の端部に位置する。従って、この屋根横梁の端部にほぼ直角に設けられている屋根縦梁に別の支持部材を取り付けると、この支持部材は庇横梁の端部に設けられている庇縦梁に沿うので、この支持部材に庇縦梁を容易に取り付けることができ、便利である。
【００４４】
請求項３記載の発明では、支持部材の建物取付部が建物ユニットの縦梁に取り付けられ、庇取付部の水平片の上に庇ユニットの庇縦材の一部を載せた状態にして、庇ユニットの庇縦材が支持部材の本体に取り付けられているから、従来のように、持出庇取付金具がなくとも、長年月使用している間に庇が垂れ下がらなく安心である。
請求項３記載の発明では、支持部材の建物取付部が建物ユニットの縦梁に取り付けられ、庇取付部の水平片の上に庇ユニットの庇縦材の一部を載せた状態にして、庇ユニットの庇縦材が支持部材の本体に取り付けられているから、庇の荷重の一部が庇取付部の水平片にかかり、この庇取付部から梁に伝達される。従って、従来のように、持出庇取付金具がなくとも、長年月使用している間に庇が垂れ下がることがない。
【００４５】
又、このような構造にするには、支持部材の建物取付部を建物ユニットの縦梁に取り付け、庇縦材の一部を支持部材の庇取付部の水平片の上に載せながら、庇の縦材を支持部材に取り付ければよく、従来のように、仮支持用金具を使用しなくとも、庇の構造材が垂れ下がることなく取り付けることができる。
又、支持部材は、ほぼ垂直な建物取付部と庇取付部とからなり、庇取付部は建物取付部が延長されたほぼ垂直な本体と、この本体の下端に設けられたほぼ水平な水平片とからなるから、庇取付部の建物取付部を建物ユニットの縦梁に取り付けるだけで、本体が屋根ユニットから屋外方向に突出し、水平片が本体の下端に水平に取り付けられる。
【００４６】
又、庇横梁は横梁のほぼ整数倍であるから、横梁の端部にほぼ直角に設けられた縦梁に支持部材を取り付け、この支持部材に庇横梁の端部に設けられている庇縦梁を取り付けると、庇横梁の他端は必ず横梁の別の端部に位置する。従って、この横梁の端部にほぼ直角に設けられている縦梁に別の支持部材を取り付けると、この支持部材は庇横梁の端部に設けられている庇縦梁に沿うので、この支持部材に庇縦梁を容易に取り付けることができる。
【図面の簡単な説明】
【図１】本発明の庇の取付構造をユニット建物の屋根梁と屋根梁との間に支持材を取り付け、この支持材に庇を取り付ける庇の取付構造に適用した一実施例を示すもので、（イ）は庇の取付構造の平面図、（ロ）は（イ）の正面図である。
【図２】ユニット建物の断面の一部を示す説明図である。
【図３】支持部材の斜視図である。
【図４】（イ）は建物ユニットに支持部材を取り付けている状態を示す説明図、（ロ）は支持部材に庇を取り付けている状態を示す説明図である。
【図５】本発明の庇の取付構造をユニット建物の端の屋根梁に支持部材を取り付け、この支持部材に庇を取り付ける庇の取付構造に適用した他の実施例を示すもので、（イ）は庇の取付構造の平面図、（ロ）は（イ）の正面図である。
【図６】支持部材の斜視図である。
【図７】（イ）は建物ユニットに支持部材を取り付けている状態を示す説明図、（ロ）は支持部材に庇を取り付けている状態を示す説明図である。
【図８】従来のユニット建物を構成する建物ユニットの天井梁に庇の構造材を取り付けている状態を示す説明図である。
【図９】従来の庇を取り付けた状態を示す取付部分の縦断面図である。
【図１０】従来の庇の構造材に持出庇取付金具と仮支持用金具を取り付けている状態を示す説明図である。
【図１１】従来の持出庇取付金具を取り付けている状態を示す説明図である。
【図１２】従来の仮支持用金具を使用して庇を取り付けている状態を示す説明図である。
【符号の説明】
１              ユニット建物
２、２ａ        建物ユニット
３              屋根ユニット
３１、３１ａ    屋根梁
３２、３２ａ    屋根横梁
３３、３３ａ    屋根縦梁
４              ベランダ
５              庇
６、６ａ        庇ユニット
６１、６１ａ    庇構造材
６２、６２ａ    庇横梁
６３、６３ａ    庇縦梁
７、７ａ        支持部材
７１、７１ａ    建物取付部
７２、７２ａ    庇取付部
７３、７３ａ    本体
７４、７４ａ    水平片
９              建物本体
【図１】
0003792356.tif 000002
【図２】
0003792356.tif 000003
【図３】
0003792356.tif 000004
【図４】
0003792356.tif 000005
【図５】
0003792356.tif 000006
【図６】
0003792356.tif 000007
【図７】
0003792356.tif 000008
【図８】
0003792356.tif 000009
【図９】
0003792356.tif 000010
【図１０】
0003792356.tif 000011
【図１１】
0003792356.tif 000012
【図１２】
0003792356.tif 000013